(57)【要約】【課題】  数種の交流入力電圧に対応して使用でき、常用電源装置と停電時に使用するインバータ部分との共用化を図ることにより装置の重複を避け、部品コストの低減と器具組立時の手数の大幅な軽減とを可能とする、誘導灯点灯装置を含む非常灯点灯装置の提供。【解決手段】  交流電源ＡＣを直流化して昇圧し、昇圧した電解コンデンサ５の両端電圧を電源としてインバータＱ２，Ｑ３により蛍光放電灯Ｌａを点灯させる。検知手段（図示せず）が交流電源ＡＣの停電を検知したときに、非常用電源（図示せず）を昇圧する昇圧手段と、検知手段が停電を検知したときに、電解コンデンサ５への電源を、昇圧手段が昇圧した電源に、交流電源ＡＣを直流化した電源から切り換える切換手段７１，７２とを備える。非常用電源は、二次電池と、電解コンデンサ５の両端電圧を分圧するコンデンサ５９〜６１の分電圧により、二次電池を充電する充電回路（図示せず）とを備えている。【選択図】      図１
2005038754.tif 000002
【特許請求の範囲】
【請求項１】
与えられた交流電源を整流した直流電源により蛍光放電灯を点灯させるインバータと、前記交流電源の停電を検知する検知手段と、該検知手段が停電を検知したときに、電源を供給する為の非常用電源と、該非常用電源が供給した電源を昇圧する昇圧手段と、前記検知手段が停電を検知したときに、前記インバータに供給される電源を、前記昇圧手段が昇圧した電源に前記直流電源から切り換える切換手段とを備える非常灯点灯装置であって、
前記非常用電源は、二次電池と、前記直流電源に基づく電源により前記二次電池を充電する充電回路とを備え、複数種類の前記交流電源に対応すべくなしてあることを特徴とする非常灯点灯装置。
【請求項２】
前記切換手段は、複数の半導体スイッチング素子からなる切換回路である請求項１記載の非常灯点灯装置。
【請求項３】
前記昇圧手段は、前記非常用電源を作動電源とする昇圧チョッパ回路、又は多段に接続された複数の前記昇圧チョッパ回路と、該昇圧チョッパ回路のチョークコイルに巻き回した二次巻線とを備え、前記チョークコイルと二次巻線との変圧作用により昇圧された電圧を、前記二次巻線から出力すべくなしてある請求項１又は２記載の非常灯点灯装置。
【請求項４】
前記二次電池を除く部分が、１つの基板上に装備されると共に、１つの筐体に収納されている請求項１乃至３の何れか１つに記載の非常灯点灯装置。
【発明の詳細な説明】
【技術分野】
【０００１】
本発明は、交流電源を整流した直流電源により、蛍光放電灯を点灯させるインバータと、交流電源の停電を検知する検知手段と、検知手段が停電を検知したときに、電源を供給する為の非常用電源とを備え、検知手段が停電を検知したときは、非常用電源により蛍光放電灯を点灯させる誘導灯点灯装置を含む非常灯点灯装置に関するものである。
【背景技術】
【０００２】
図１２は、特許文献１に従来の技術として記載された非常灯回路の構成例を示すブロック図である。この非常灯回路は、常用時に商用交流電源Ｅによりランプ２０９を点灯させる常用点灯回路２００と、商用交流電源Ｅが停電したときに、ランプ２０９を点灯させる非常点灯回路２１１とを備えている。
【０００３】
非常点灯回路２１１は、降圧トランス２０１が商用交流電源Ｅを降圧し、その降圧した電源を全波整流回路２０２が整流し、その整流した電源を平滑コンデンサ２０３が平滑して出力する直流定電圧電源回路２２１を備えている。
【０００４】
非常点灯回路２１１は、また、直流定電圧電源回路２２１を電源として作動するリレーＲＥを備え、常用時には、リレー接点ＲＥ１，ＲＥ２によりランプ２０９を常用点灯回路２００に接続すると共に、直流定電圧電源回路２２１によりバッテリー２０７を充電し、商用交流電源Ｅの停電時には、リレー接点ＲＥ１，ＲＥ２によりランプ２０９を非常点灯回路２１１に切換接続する充電制御・放電切換回路２２２と、商用交流電源Ｅの停電時に、リレー接点ＲＥ１，ＲＥ２によりランプ２０９に接続され、バッテリー２０７を電源としてランプ２０９を点灯させる点灯回路２０８とを備えている。
【０００５】
このような構成の非常灯回路では、常用時には、リレー接点ＲＥ１，ＲＥ２によりランプ２０９を常用点灯回路２００に接続して点灯させると共に、直流定電圧電源回路２２１によりバッテリー２０７を充電する。商用交流電源Ｅの停電時には、直流定電圧電源回路２２１からの電源喪失によりリレーＲＥが作動して、リレー接点ＲＥ１，ＲＥ２がランプ２０９を非常点灯回路２１１に切換接続し、非常点灯回路２１１は、バッテリー２０７を電源としてランプ２０９を点灯させる。
【０００６】
上述したように、商用交流電源が停電した場合に、蛍光灯を点灯させる非常用照明器具（非常灯回路）では、非常用電源としてニッカド電池等の二次電池が使用されており、商用交流電源の通電時に二次電池を充電しておき、停電時に二次電池を電源として蛍光灯を点灯させる構成となっている。商用交流電源が停電した場合は、二次電池を電源として一部の蛍光灯を２０〜６０分間点灯させるようになっており、その一部の蛍光灯には、上述したように、常用点灯装置（常用点灯回路）と非常用点灯装置（非常点灯回路）とが装備されている。
【０００７】
また、常用点灯装置及び非常用点灯装置は、それぞれ別の基板上に装備され、また、それらを収納するケースも別になっており、取付けもそれぞれ個別に行なわれている。
【特許文献１】特開２００２−２９９０８３号公報
【特許文献２】特開２００３−３１３８１号公報
【発明の開示】
【発明が解決しようとする課題】
【０００８】
上述したような非常用照明器具（非常灯回路、非常灯点灯装置、誘導灯点灯装置）では、常用点灯装置及び非常用点灯装置が個別に装備されている為、構成部品の中に重複するものが多く、部品コストの上昇を招くと共に、器具組立に手数がかかり、省資源省力化の観点からも無駄が多いという問題があった。
【０００９】
そこで、本出願人は、常用点灯装置及び非常用点灯装置の構成部品の中に重複するものが少なく、部品コストを低減することが出来、組立に手数がかからず、無駄が少ない非常灯点灯装置を既に提案している（特願２００３−１１４０２１号）。
【００１０】
しかし、この非常灯点灯装置では、非常用電源の二次電池を充電する充電回路に、商用交流電源を降圧する為の降圧変圧器を使用しているが、降圧変圧器は、定格容量を超える商用交流電源を使用すると不具合を起す虞がある。また、例えば、２００Ｖの商用交流電源でも使用することが出来るように、降圧変圧器の定格容量を大きくすると、その体積も大きくなると共に、放熱対策が必要となり、小形化が困難になる。その為、この非常灯点灯装置は、使用可能な交流電源が比較的低圧なものに限定されるという問題がある。
【００１１】
特許文献１には、種々の電源電圧に対応して使用出来るが、常用点灯回路及び非常点灯回路は、ランプを共用するのみで、それぞれ独立して設けられた非常灯回路が開示されている。また、特許文献２には、力率の低い点灯手段を使用しながらも高調波を充分に抑制することが可能な非常用照明器具が開示されている。
【００１２】
本発明は、上述したような事情に鑑みてなされたものであり、種々の電圧の交流電源に対応して使用出来ると共に、構成部品に常用電源装置と重複するものが少なく、部品コストを低減することが出来、器具の組立手数を大幅に軽減し、かつ、構成部品の無駄が少ない非常灯点灯装置を提供することを目的とする。
【課題を解決するための手段】
【００１３】
第１発明に係る非常灯点灯装置は、与えられた交流電源を整流した直流電源により蛍光放電灯を点灯させるインバータと、前記交流電源の停電を検知する検知手段と、該検知手段が停電を検知したときに、電源を供給する為の非常用電源と、該非常用電源が供給した電源を昇圧する昇圧手段と、前記検知手段が停電を検知したときに、前記インバータに供給される電源を、前記昇圧手段が昇圧した電源に前記直流電源から切り換える切換手段とを備える非常灯点灯装置であって、前記非常用電源は、二次電池と、前記直流電源に基づく電源により前記二次電池を充電する充電回路とを備え、複数種類の前記交流電源に対応すべくなしてあることを特徴とする。
【００１４】
第２発明に係る非常灯点灯装置は、前記切換手段が、複数の半導体スイッチング素子からなる切換回路であることを特徴とする。
【００１５】
第３発明に係る非常灯点灯装置は、前記昇圧手段が、前記非常用電源を作動電源とする昇圧チョッパ回路、又は多段に接続された複数の前記昇圧チョッパ回路と、該昇圧チョッパ回路のチョークコイルに巻き回した二次巻線とを備え、前記チョークコイルと二次巻線との変圧作用により昇圧された電圧を、前記二次巻線から出力すべくなしてあることを特徴とする。
【００１６】
第４発明に係る非常灯点灯装置は、前記二次電池を除く部分が、１つの基板上に装備されると共に、１つの筐体に収納されていることを特徴とする。
【発明の効果】
【００１７】
第１，４発明に係る非常灯点灯装置によれば、種々の電圧の交流電源に対応して使用出来ると共に、構成部品に常用点灯装置と重複するものが少なく、部品コストを低減することが出来、器具の組立手数を大幅に軽減し、かつ、構成部品の無駄が少ない非常灯点灯装置を実現することが出来る。
【００１８】
第２発明に係る非常灯点灯装置によれば、切換回路に電磁リレーを使用せず、半導体スイッチング素子を使用するので、非常に小形化出来、特に、筐体の断面を小さくすることが出来る。また、リレー接点の溶着（特に大電流の場合）、及びゴミの付着によるリレー接点の接触不良（特に低電圧、小電流の場合）等の不具合が生じなくなる。
【００１９】
第３発明に係る非常灯点灯装置によれば、昇圧チョッパ回路を使用すると共に、変圧器の機能を活用することにより、昇圧を容易にしたので、小型化を図ることが出来る。また、多段に接続された複数の昇圧チョッパ回路を備えた場合は、各昇圧チョッパ回路のスイッチング素子の温度上昇を抑制することが出来る。
【発明を実施するための最良の形態】
【００２０】
以下に、本発明を、その実施の形態を示す図面を参照しながら説明する。
【００２１】
実施の形態１．
図１，２は、本発明に係る非常灯点灯装置の実施の形態１の構成を示すブロック図である。この非常灯点灯装置は、通常時に商用交流電源ＡＣを整流して昇圧し、その整流して昇圧した電源により、内蔵するインバータが蛍光灯Ｌａを点灯させる常用点灯装置Ａと、非常用電源である二次電池Ｂａ（図２）と、通常時に常用点灯装置Ａ内で整流され昇圧された電源の分圧電源により、二次電池Ｂａを充電する充電装置Ｂ（図２）と、商用交流電源ＡＣが停電したときに、二次電池Ｂａからの電源を昇圧して、常用点灯装置Ａが内蔵するインバータに与える昇圧装置Ｃ（昇圧手段、昇圧チョッパ回路）（図２）と、商用交流電源ＡＣの停電を検知する為のリレー７０（検知手段）（図２）とから構成されている。
【００２２】
この非常灯点灯装置は、二次電池Ｂａを除く、常用点灯装置Ａ、充電装置Ｂ、昇圧装置Ｃ及びリレー７０が、1つの基板（図示せず）上に装備され、また、1つのケース（筐体）（図示せず）に収納されている。
【００２３】
常用点灯装置Ａは、サージ吸収等の安定化に必要な、商用交流電源ＡＣに並列接続されたコンデンサ１４等と、入力電流を全波整流する全波整流回路２とを備えている。
【００２４】
全波整流回路２の負極側の出力端子は、接地されると共に、コンデンサ５０を通じてケース（筐体）に接地されている。全波整流回路２の正極側の出力端子は、抵抗２１とコンデンサ５１及び電解コンデンサ５２の並列回路とを通じて接地されている。
【００２５】
全波整流回路２には、コンデンサ５３が並列接続されると共に、正極側の出力端子及び負極側の出力端子間に、抵抗２３，２４，２５が直列接続されている。抵抗２４，２５の接続節点が、コンデンサ６２を通じて接地されると共に、ＩＣ８２に接続されている。
【００２６】
全波整流回路２の正極側の出力端子は、チョークコイル３の一次巻線３ａの一方の端部に接続され、一次巻線３ａの他方の端部は、ダイオード４のアノードに接続されている。ダイオード４のアノードには、また、ＮチャネルＦＥＴＱ１のドレインが接続され、ＦＥＴＱ１のソースは抵抗３０を通じて接地されている。ＦＥＴＱ１のソースは、また、抵抗２９の一方の端子に接続され、抵抗２９の他方の端子は、ＩＣ８２に接続されると共に、コンデンサ５５を通じて接地されている。
【００２７】
ＦＥＴＱ１のゲートは、抵抗２７を通じてＩＣ８２に接続されると共に、抵抗２８を介して接地されている。
【００２８】
チョークコイル１３の二次巻線３ｂの一方の端部は接地され、他方の端部は、抵抗２６を通じてＩＣ８２に接続されると共に、ダイオード６６のアノードに接続されている。ダイオード６６のカソードは、上記電解コンデンサ５２の陽極及びＩＣ８２に接続されている。
【００２９】
チョークコイル３の二次巻線３ｃの両端部には、それぞれダイオード６７，６８の各アノードが接続され、ダイオード６７，６８の各カソードは、電解コンデンサ５４を通じて接地され、二次巻線３ｃの中間タップは接地されている。
【００３０】
上記ダイオード４のカソードには、リレー接点７１の第１接点が接続されると共に、ダイオード４のカソード及び接地端子間には、抵抗３１，３２，３３が直列接続されている。抵抗３２，３３の接続節点は、コンデンサ５６を通じて接地されると共に、ＩＣ８２に接続されている。
【００３１】
接地端子は、また、リレー接点７２の第１接点に接続されている。
【００３２】
リレー接点７１の第１接点及びリレー接点７２の第１接点間には、コンデンサ５９，６０，６１が直列に接続され、コンデンサ６０，６１の接続節点は充電装置Ｂに接続されている。
【００３３】
通常時は、リレー接点７１の第１接点に接続されているリレー接点７１の第３接点と、通常時は、リレー接点７２の第１接点に接続されているリレー接点７２の第３接点との間には、電解コンデンサ５と、コンデンサ５ａと、抵抗３４と、ＮチャネルＦＥＴＱ２，Ｑ３の直列回路と、コンデンサ８，９の直列回路とが並列に接続されている。
【００３４】
上記チョークコイル３の一次巻線３ａ、ＦＥＴＱ１、ＩＣ８２、ダイオード４、及び電解コンデンサ５は、昇圧チョッパ回路を構成している。
【００３５】
コンデンサ５９，６０，６１は、この昇圧チョッパ回路が昇圧した電源を分圧する分圧回路であり、充電装置Ｂは、その分圧した電源により二次電池Ｂａを充電する。
【００３６】
ＦＥＴＱ２，Ｑ３の各ゲートは、それぞれ抵抗３５，３７を通じてＩＣ８３に接続されている。ＦＥＴＱ２，Ｑ３の各ゲート―ソース間には、それぞれ抵抗３６，３８が接続されている。
【００３７】
ＩＣ８３には、また、上記電解コンデンサ５４の陽極が接続され、電源が供給される。
【００３８】
ＦＥＴＱ２，Ｑ３及びＩＣ８３は、インバータの一部を構成している。
【００３９】
ＦＥＴＱ２，Ｑ３の接続節点には、チョークコイル６の一方の端部が接続され、他方の端部は、蛍光灯Ｌａの一方のフィラメントの一端に接続されている。蛍光灯Ｌａの一方のフィラメントの他端は、コンデンサ７を通じて、他方のフィラメントの一端に接続され、他方のフィラメントの他端は、コンデンサ８，９の接続節点に接続されている。
【００４０】
リレー７０（図２）は、上記コンデンサ５９，６０，６１が分圧した電源を与えられて動作しており、その電圧が喪失したときに、作動して商用交流電源ＡＣの停電を検知し、リレー接点７１，７２及び後述するリレー接点７３，７４の接続を切り換える。
【００４１】
充電装置Ｂ（図２）は、上記コンデンサ５９，６０，６１が分圧した電源が、各一方の端子に与えられる抵抗４０，４６と、抵抗４０の他方の端子にアノードが接続されたダイオード６４と、抵抗４６の他方の端子にアノードが接続されたダイオード６３とを備え、ダイオード６４のカソードはチョークコイル１５の一方の端部に接続されている。
【００４２】
ダイオード６３のカソードはリレー７０の一方の端子に接続され、リレー７０の他方の端子は接地されている。
【００４３】
昇圧装置Ｃは、上記チョークコイル１５を備え、その他方の端部が、ＮチャネルＦＥＴＱ４のドレイン及びダイオード６５のアノードに接続されている。ＦＥＴＱ４のゲートは、抵抗４２を通じてＩＣ８４に接続され、ソースは、抵抗４７を通じてゲートに接続されると共に接地され、上記リレー接点７２の第２接点（図１）に接続されている。
【００４４】
ダイオード６５のカソード及びＦＥＴＱ４のソース間には、抵抗４３，４４，４５が直列接続され、抵抗４４，４５の接続節点はＩＣ８４に接続されている。ダイオード６５のカソードは、また、上記リレー接点７１の第２接点（図１）に接続されている。
【００４５】
上記チョークコイル１５、ＦＥＴＱ４、ＩＣ８４、ダイオード６５及び電解コンデンサ５は、昇圧チョッパ回路を構成する。
【００４６】
上記チョークコイル１５の一方の端部は、また、リレー接点７３の第３接点に接続され、リレー接点７３の第２接点は、抵抗４１を通じてＩＣ８４と、陰極が接地された電解コンデンサ５７の陽極とに接続されている。リレー接点７３の第１接点は、何れにも接続されていない。上記チョークコイル１５の一方の端部は、また、抵抗４８を通じて電解コンデンサ５８の陽極に接続されると共に、リレー接点７４の第２接点に接続されている。電解コンデンサ５８の陰極は接地されている。
【００４７】
リレー接点７４の第３接点は、上記電解コンデンサ５４の陽極及びＩＣ８３に接続され、リレー接点７４の第１接点は、何れにも接続されていない。
【００４８】
上記ダイオード６４のカソードは、また、コネクタ８０及びヒューズ８１を通じて、二次電池Ｂａの正極に接続されている。二次電池Ｂａの負極は、コネクタ８０を通じて接地されている。
【００４９】
以下に、このような構成の非常灯点灯装置の動作を説明する。
【００５０】
商用交流電源ＡＣが常用点灯装置Ａの入力端子に与えられると、全波整流回路２がこの交流電源を全波整流し、全波整流された電流は、チョークコイル３の一次巻線３ａ、ダイオード４、切換スイッチ７１の第１接点及び第３接点を経由して、電解コンデンサ５を充電する。
【００５１】
一方、チョークコイル３の二次巻線３ｂには誘導電流が発生し、ダイオード６６を経由して、電解コンデンサ５２を充電する。電解コンデンサ５２の陽極電圧は、電源電圧としてＩＣ８２に与えられる。
【００５２】
更に、チョークコイル３の二次巻線３ｃにも誘導電流が発生し、ダイオード６７，６８を経由して、電解コンデンサ５４を充電する。電解コンデンサ５４の陽極電圧は、電源電圧としてＩＣ８３に与えられる。
【００５３】
ＩＣ８２が、電源電圧を与えられて起動し、ＦＥＴＱ１を連続的にオン／オフすると、チョークコイル３の一次巻線３ａの電磁エネルギーが電解コンデンサ５に蓄積され、電解コンデンサ５の両端電圧は、所定の直流電圧まで昇圧される。
【００５４】
このとき、ＩＣ８３も、電源電圧を与えられて起動しており、ＦＥＴＱ２，Ｑ３のオン／オフを交互に繰り返している。
【００５５】
先ず、ＦＥＴＱ２がオン、ＦＥＴＱ３がオフのときは、電解コンデンサ５の陽極→ＦＥＴＱ２→チョークコイル６→蛍光灯Ｌａの一方のフィラメント→コンデンサ７→蛍光灯Ｌａの他方のフィラメント→コンデンサ９→接地端子の経路で電流が流れる。
【００５６】
次に、ＦＥＴＱ２がオフ、ＦＥＴＱ３がオンのときは、電解コンデンサ５の陽極→コンデンサ８→蛍光灯Ｌａの他方のフィラメント→コンデンサ７→蛍光灯Ｌａの一方のフィラメント→チョークコイル６→ＦＥＴＱ３→接地端子の経路で電流が流れる。
【００５７】
商用交流電源ＡＣが常用点灯装置Ａに与えられた初期状態（０．５〜２．０秒程度）では、上記のオン／オフを繰り返し、この間に蛍光灯Ｌａの両フィラメントが充分に予熱される。
【００５８】
そして、予熱周波数から点灯周波数に移行する際に、チョークコイル６及びコンデンサ７により直列共振を起こすので、蛍光灯Ｌａの両フィラメント間に高電圧が加わって放電し始め、蛍光灯Ｌａは、予熱状態から通常の点灯状態に移行する。このときには、蛍光灯Ｌａは、直列共振状態から外れ、ランプインピーダンスを含めた安定した点灯状態に至る。
【００５９】
他方、コンデンサ５９，６０，６１は、電解コンデンサ５の両端電圧を分圧し、充電装置Ｂは、その分圧された電圧を与えられ、抵抗４０及びダイオード６４通じて、二次電池Ｂａを充電している。
【００６０】
ここで、商用交流電源ＡＣが何らかの原因で停電した場合、リレー７０がこの停電を検知し、リレー接点７１，７２，７３，７４のそれぞれの第１接点−第３接点の接続を、第２接点−第３接点の接続に切り換え、それ迄オンであった接続をオフに、それ迄オフであった接続をオンに切り換える。
【００６１】
このとき、リレー接点７３の切り換えに伴って、二次電池Ｂａの正極から抵抗４１を経由して電解コンデンサ５７が充電され、この電解コンデンサ５７の陽極電圧が、ＩＣ８４の電源電圧となる。
【００６２】
また、二次電池Ｂａの正極から抵抗４８を経由して充電される電解コンデンサ５８の陽極電圧が、リレー接点７４の切り換えに伴って、抵抗４８を通じてＩＣ８３の電源電圧となる。
【００６３】
ＩＣ８４が、電源電圧を与えられて起動し、ＦＥＴＱ４を連続的にオン／オフすると、チョークコイル１５の電磁エネルギーが、ダイオード６５及びリレー接点７１経由で電解コンデンサ５に蓄積され、電解コンデンサ５の両端電圧は、所定の直流電圧まで昇圧される。
【００６４】
このとき、ＩＣ８３は、電解コンデンサ５８から電源電圧を与えられて起動しており、ＦＥＴＱ２，Ｑ３のオン／オフを交互に繰り返しており、以降の蛍光灯Ｌａを点灯させる動作は上述した通常の点灯時の動作と同様である。
【００６５】
このようにして、二次電池Ｂａに蓄積されたエネルギーが続く限り、蛍光灯Ｌａは点灯し続ける。
【００６６】
実施の形態２．
図３，４は、本発明に係る非常灯点灯装置の実施の形態２の構成を示すブロック図である。この非常灯点灯装置は、実施の形態１で説明した非常灯点灯装置（図１，２）のリレー接点７１，７２，７３，７４を、半導体スイッチング素子からなる切換回路７１ａ，７２ａに置き換え、この置き換えに伴って、必要個所を変更したものである。
【００６７】
この非常灯点灯装置の常用点灯装置Ａｂは、チョークコイル３の二次巻線３ｄの一方の端部が、切換回路７１ａに接続され、他方の端部はダイオード４ａのアノードに接続され、そのカソードは切換回路７１ａに接続されている。二次巻線３ｅの両端部が、切換回路７２ａに接続され、ダイオード４のカソードが、切換回路７１ａに接続されている。
【００６８】
電解コンデンサ５２の陽極に抵抗９０の一方の端子が接続され、他方の端子は発光ダイオードＬＥＤのアノードに接続され、カソードは接地されている。
【００６９】
充電装置Ｂｂ（図４）は、コンデンサ５９，６０，６１が分圧した電源が、一方の端子に与えられる抵抗４０と、抵抗４０の他方の端子にアノードが接続されたダイオード６４と、陰極が接地された電解コンデンサ５７ａと、電解コンデンサ５７ａの陽極及びチョークコイル７５の一次巻線７５ａの一方の端部にエミッタが接続され、コレクタが抵抗９１を通じてダイオード６４のカソードに接続されたＮＰＮ型トランジスタＱ５とを備えている。
【００７０】
充電装置Ｂｂは、また、ＮＰＮ型フォトトランジスタＰＴのエミッタが接地され、コレクタが、二次電池の正極に抵抗９２を通じて接続されており、かつ、コレクタが抵抗９４を通じてトランジスタＱ５のベースに接続されている。トランジスタＱ５のベース及びエミッタ間は、抵抗９３により接続されている。
【００７１】
上記発光ダイオードＬＥＤ及びフォトトランジスタＰＴはフォトカプラ（検知手段）を構成しており、通常点灯時にはオンであり、商用交流電源ＡＣが何らかの原因で停電した場合は、オフとなって、商用交流電源ＡＣの停電を検知する。
【００７２】
昇圧装置Ｃａは、チョークコイル７５の一次巻線７５ａの一方の端部が、トランジスタＱ５のエミッタ及び電解コンデンサ５７ａの接続節点に接続され、一次巻線７５ａの他方の端部は、ＮチャネルＦＥＴＱ４のドレイン及びダイオード６５のアノードに接続されている。ＦＥＴＱ４のゲートは、抵抗４２を通じてＩＣ８４に接続され、ソースは、抵抗４７を通じてゲートに接続されると共に接地され、上記切換回路７２ａ（図３）に接続されている。
【００７３】
チョークコイル７５の二次巻線７５ｂの両端部は、上記切換回路７１ａ（図３）に接続され、二次巻線７５ｃの両端部は、上記切換回路７２ａ（図３）に接続されている。
【００７４】
ダイオード６５のカソード及びＦＥＴＱ４のソース間には、抵抗４３，４４，４５が直列接続され、抵抗４４，４５の接続節点はＩＣ８４に接続されている。ダイオード６５のカソードは、また、上記切換回路７１ａ（図３）に接続されている。
【００７５】
上記チョークコイル７５、ＦＥＴＱ４、ＩＣ８４、ダイオード６５及び電解コンデンサ５は、昇圧チョッパ回路を構成する。
【００７６】
上記チョークコイル７５の一次巻線７５ａの一方の端部は、抵抗４１を通じてＩＣ８４と、陰極が接地された電解コンデンサ５７の陽極とに接続されている。また、上記一次巻線７５ａの一方の端部は、抵抗４８を通じて電解コンデンサ５８の陽極に接続されると共に、常用点灯装置Ａｂ（図３）内のダイオード６９のアノードに接続され、ダイオード６９のカソードは、上記電解コンデンサ５４の陽極及びＩＣ８３に接続されている。
【００７７】
上記ダイオード６４のカソードは、また、コネクタ８０及びヒューズ８１を通じて、二次電池Ｂａの正極に接続されている。二次電池Ｂａの負極は、コネクタ８０を通じて接地されている。
【００７８】
図５は、常用点灯装置Ａｂ（図３）内の切換回路７１ａ，７２ａの構成例を拡大して示す回路図である。
【００７９】
切換回路７１ａは、ダイオード４のカソード及びコンデンサ５９が、シリコン制御整流素子１０１（半導体スイッチング素子）のアノードに接続され、シリコン制御整流素子１０１のカソードは、二次巻線３ｄの一方の端部、ＦＥＴＱ２のドレイン及び二次巻線７５ｂの一方の端部に接続され、そのゲートは、ダイオード４ａのカソードに接続されている。シリコン制御整流素子１０１のカソードは、また、ダイオード１０５のアノード及びコンデンサ１１０の一方の端子に接続され、ダイオード１０５のカソード及びコンデンサ１１０の他方の端子は、シリコン制御整流素子１０１のゲートに接続されている。
【００８０】
シリコン制御整流素子１０１のカソードは、また、シリコン制御整流素子１０２のカソードに接続され、そのアノードはダイオード６５（図４）のカソードに接続され、そのゲートは、ダイオード１０６のカソードに接続され、ダイオード１０６のアノードは、二次巻線７５ｂ（図４）の一方の端部に接続され、その他方の端部は、シリコン制御整流素子１０２のカソードに接続されている。シリコン制御整流素子１０２のカソードは、また、ダイオード１０７のアノード及びコンデンサ１１１の一方の端子に接続され、ダイオード１０７のカソード及びコンデンサ１１１の他方の端子は、シリコン制御整流素子１０２のゲートに接続されている。
【００８１】
切換回路７２ａは、シリコン制御整流素子１０３のカソードが接地されると共に、二次巻線３ｅの一方の端部に接続され、シリコン制御整流素子１０３のアノードは、ＦＥＴＱ３のソースに接続されている。シリコン制御整流素子１０３のゲートは、二次巻線３ｅの他方の端部に接続されている。シリコン制御整流素子１０３のアノードは、また、シリコン制御整流素子１０４のアノードに接続され、シリコン制御整流素子１０４のゲートは、二次巻線７５ｃ（図４）の一方の端部に接続され、その他方の端部は、シリコン制御整流素子１０４のカソードに接続されている。また、シリコン制御整流素子１０４のカソードは接地されている。その他の常用点灯装置Ａｂの構成は、実施の形態１で説明した常用点灯装置Ａ（図１）の構成と同様であるので、説明を省略する。
【００８２】
以下に、このような構成の非常灯点灯装置の動作を説明する。
【００８３】
商用交流電源ＡＣが常用点灯装置Ａｂの入力端子に与えられると、全波整流回路２がこの交流電源を全波整流し、全波整流された電流は、チョークコイル３の一次巻線３ａ、ダイオード４及びシリコン制御整流素子１０１を経由して、電解コンデンサ５を充電する。
シリコン制御整流素子１０１，１０３は、チョークコイル３の二次巻線３ｄ，３ｅに発生する誘導電流により、オンになっている。
【００８４】
一方、チョークコイル３の二次巻線３ｂにも誘導電流が発生し、ダイオード６６を経由して、電解コンデンサ５２を充電する。電解コンデンサ５２の陽極電圧は、電源電圧としてＩＣ８２に与えられると共に、抵抗９０を通じて、発光ダイオードＬＥＤのアノードにも与えられ、そのフォトカプラのフォトトランジスタＰＴをオンにする。フォトトランジスタＰＴがオンになれば、トランジスタＱ５は、ベースが接地されてオフになり、チョークコイル７５の一次巻線７５ａには電流が流れず、二次巻線７５ｂ，７５ｃにも誘導電流は発生しない。その為、シリコン制御整流素子１０２，１０４はオフになっている。
【００８５】
更に、チョークコイル３の二次巻線３ｃにも誘導電流が発生し、ダイオード６７，６８を経由して、電解コンデンサ５４を充電する。電解コンデンサ５４の陽極電圧は、電源電圧としてＩＣ８３に与えられる。
【００８６】
ＩＣ８２が、電源電圧を与えられて起動し、ＦＥＴＱ１を連続的にオン／オフすると、チョークコイル３の一次巻線３ａの電磁エネルギーが電解コンデンサ５に蓄積され、電解コンデンサ５の両端電圧は、所定の直流電圧まで昇圧される。
【００８７】
このとき、ＩＣ８３も、電源電圧を与えられて起動しており、ＦＥＴＱ２，Ｑ３のオン／オフを交互に繰り返している。
【００８８】
交流電源ＡＣが常用点灯装置Ａｂに与えられた初期状態（０．５〜２．０秒程度）では、上記のオン／オフを繰り返し、この間に蛍光灯Ｌａの両フィラメントが充分に予熱される。
【００８９】
そして、予熱周波数から点灯周波数に移行する際に、チョークコイル６及びコンデンサ７により直列共振を起こすので、蛍光灯Ｌａの両フィラメント間に高電圧が加わって放電し始め、蛍光灯Ｌａは、予熱状態から通常の点灯状態に移行する。このときには、蛍光灯Ｌａは、直列共振状態から外れ、ランプインピーダンスを含めて安定した点灯状態に至る。
【００９０】
他方、コンデンサ５９，６０，６１は、電解コンデンサ５の両端電圧を分圧し、充電装置Ｂは、その分圧された電圧を与えられ、抵抗４０及びダイオード６４通じて、二次電池Ｂａを充電している。
【００９１】
ここで、商用交流電源ＡＣが何らかの原因で停電した場合、発光ダイオードＬＥＤはオフになり、そのフォトカプラのフォトトランジスタＰＴをオフにする。フォトトランジスタＰＴがオフになれば、トランジスタＱ５はオンになり、二次電池Ｂａの正極からトランジスタＱ５を通じてチョークコイル７５の一次巻線７５ａに電流が流れ、二次巻線７５ｂ，７５ｃにも誘導電流が発生する。その為、シリコン制御整流素子１０２，１０４はオンになる。
【００９２】
一方、シリコン制御整流素子１０１，１０３は、商用交流電源ＡＣの停電により、チョークコイル３の二次巻線３ｄ，３ｅに誘導電流が発生しなくなり、オフになる。
【００９３】
また、チョークコイル３の二次巻線３ｃにも誘導電流が発生せず、電解コンデンサ５４は充電されず、ＩＣ８３は電源電圧を与えられなくなる。
【００９４】
このとき、二次電池Ｂａの正極からトランジスタＱ５及び抵抗４１を経由して電解コンデンサ５７が充電され、この電解コンデンサ５７の陽極電圧が、ＩＣ８４の電源電圧となる。
【００９５】
また、二次電池Ｂａの正極からトランジスタＱ５及び抵抗４８を経由して充電される電解コンデンサ５８の陽極電圧が、抵抗４８及びダイオード６９を通じてＩＣ８３の電源電圧となる。
【００９６】
ＩＣ８４が、電源電圧を与えられて起動し、ＦＥＴＱ４を連続的にオン／オフすると、チョークコイル７５の電磁エネルギーが、ダイオード６５及びシリコン制御整流素子１０２経由で電解コンデンサ５に蓄積され、電解コンデンサ５の両端電圧は、所定の直流電圧まで昇圧される。
【００９７】
このとき、ＩＣ８３は、上述したように、電解コンデンサ５８から電源電圧を与えられて起動しており、ＦＥＴＱ２，Ｑ３のオン／オフを交互に繰り返しており、以降の蛍光灯Ｌａを点灯させる動作は上述した通常の点灯時の動作と同様である。
【００９８】
このようにして、二次電池Ｂａに蓄積されたエネルギーが続く限り、蛍光灯Ｌａは点灯し続ける。
【００９９】
尚、本実施の形態２では、半導体スイッチング素子としてシリコン制御整流素子を用いているが、バイポーラトランジスタ、パワーＭＯＳＦＥＴ、ＩＧＢＴ等の半導体スイッチング素子を用いても良いことは勿論である。一部分、バイポーラトランジスタを用いた実施の形態は後述する。
【０１００】
また、実施の形態１，２では、昇圧装置Ｃ，Ｃａに１段の昇圧チョッパ回路を使用しているが、複数段接続した昇圧チョッパ回路を使用しても良い。また、昇圧手段として変圧器の機能を用いても良い。
【０１０１】
実施の形態３．
図６，７は、本発明に係る非常灯点灯装置の実施の形態３の構成を示すブロック図である。この非常灯点灯装置は、実施の形態１で説明した非常灯点灯装置（図１，２）のリレー接点７１，７２，７３，７４を、半導体スイッチング素子からなる切換回路７１ｂ，７２ｂに置き換えると共に、インバータのＦＥＴＱ２，Ｑ３からなるハーフブリッジ回路を、トランジスタＴ１，Ｔ２からなるプッシュプル回路に置き換え、これらの置き換えに伴って、関係個所を変更したものである。
【０１０２】
この非常灯点灯装置の常用点灯装置Ａｃは、チョークコイル３の二次巻線３ｄの一方の端部が、切換回路７１ｂに接続され、他方の端部はダイオード４ａのアノードに接続され、そのカソードは切換回路７１ｂに接続されている。二次巻線３ｅの両端部が、切換回路７２ｂに接続され、ダイオード４のカソードが、切換回路７１ｂに接続されている。
【０１０３】
電解コンデンサ５２の陽極に抵抗９０の一方の端子が接続され、他方の端子は発光ダイオードＬＥＤのアノードに接続され、カソードは接地されている。
【０１０４】
切換回路７１ｂには、チョークコイル１２０，１２１の各一方の端部がそれぞれ接続され、各他方の端部は共通接続されて、変圧器１２２の一次巻線１２２ａ，１２２ｂの接続節点に接続されている。
【０１０５】
一次巻線１２２ａ，１２２ｂの他方の端部は、各々ＮＰＮ型トランジスタＴ１，Ｔ２のコレクタに接続され、その各々のエミッタは接地されている。
【０１０６】
また、トランジスタＴ１，Ｔ２の各コレクタ間には、コンデンサ１２３が接続されている。
【０１０７】
トランジスタＴ１のベースは、抵抗１３５を通じてＩＣ８３に接続され、トランジスタＴ２のベースは、抵抗１３７を通じてＩＣ８３に接続され、トランジスタＴ１，Ｔ２及びＩＣ８３は、他励式のプッシュプルインバータを構成している。尚、ＩＣ８３を除いて、自励式のプッシュプルインバータに構成することも可能である。
【０１０８】
変圧器１２２の二次巻線１２２ｃの一方の端部は、コンデンサ１２６及び蛍光灯Ｌａの一方のフィラメントを経由して、二次巻線１２２ｃのフィラメントタップに接続されている。二次巻線１２２ｃの一方の端部及びフィラメントタップ間は、フィラメントコイル１２２ｄ′となっている。
【０１０９】
二次巻線１２２ｃの他方の端部は、コンデンサ１２５を経由して、蛍光灯Ｌａの他方のフィラメントの一方の端子に接続され、その他方の端子はコンデンサ１２４を経由して、
変圧器１２２の二次巻線１２２ｄの一方の端部に接続され、その他方の端部は、他方のフィラメントの一方の端子に接続されている。
【０１１０】
充電装置Ｂｃ（図７）は、電解コンデンサ５４の陽極電圧が、一方の端子に与えられる抵抗４０と、抵抗４０の他方の端子にアノードが接続されたダイオード６４と、陰極が接地された電解コンデンサ５７ａと、電解コンデンサ５７ａの陽極にエミッタが接続され、コレクタが抵抗９１を通じてダイオード６４のカソードに接続されたＮＰＮ型トランジスタＱ５とを備えている。
【０１１１】
充電装置Ｂｃは、また、ＮＰＮ型フォトトランジスタＰＴのエミッタが接地され、コレクタが二次電池Ｂａの正極に抵抗９２を通じて接続されており、かつ、コレクタが抵抗９４を通じてトランジスタＱ５のベースに接続されている。トランジスタＱ５のベース及びエミッタ間は、抵抗９３により接続されている。
【０１１２】
上記発光ダイオードＬＥＤ及びフォトトランジスタＰＴはフォトカプラ（検知手段）を構成しており、通常点灯時にはオンであり、商用交流電源ＡＣが何らかの原因で停電した場合は、オフとなって、商用交流電源ＡＣの停電を検知する。
【０１１３】
昇圧装置Ｃｂは、上記電解コンデンサ５７ａの陽極が、昇圧変圧器９５の一次巻線９５ａの一方の端部に接続され、一次巻線９５ａの他方の端部は、ＮチャネルＦＥＴＱ４のドレイン及びダイオード６５のアノードに接続されている。ＦＥＴＱ４のゲートは、抵抗４２を通じてＩＣ８４に接続され、ソースは、抵抗４７を通じてゲートに接続されると共に接地され、電解コンデンサ５８の陰極に接続されている。
【０１１４】
昇圧変圧器９５の二次巻線９５ｂの両端部は、上記切換回路７１ｂ（図６）に接続され、二次巻線９５ｃの両端部は、上記切換回路７２ｂ（図６）に接続されている。
【０１１５】
昇圧変圧器９５の二次巻線９５ｄの両端部は、それぞれダイオード６７ａ，６８ａのアノードに接続され、ダイオード６７ａ，６８ａの各カソードは共通接続されて、切換回路７１ｂ（図６）に接続されている。二次巻線９５ｄの中間タップは接地されている。
【０１１６】
ダイオード６５のカソード及びＦＥＴＱ４のソース間には、抵抗４３，４４，４５が直列接続され、抵抗４４，４５の接続節点はＩＣ８４に接続されている。ダイオード６５のカソードは、また、上記電解コンデンサ５８の陽極に接続されている。電解コンデンサ５８の陽極電圧は、ダイオード６９（図６）を通じて、電源電圧としてＩＣ８３に与えられる。
【０１１７】
電解コンデンサ５８の陽極は、また、ＩＣ８４と、陰極が接地された電解コンデンサ５７の陽極とに接続されている。
【０１１８】
上記ダイオード６４のカソードは、また、コネクタ８０及びヒューズ８１を通じて、二次電池Ｂａの正極に接続されている。二次電池Ｂａの負極は、コネクタ８０を通じて接地されている。
【０１１９】
図８は、常用点灯装置Ａｃ（図６）内の切換回路７１ｂ，７２ｂの構成例を拡大して示す回路図である。
【０１２０】
切換回路７１ｂは、ダイオード４のカソード及びダイオード６７ａ，６８ａの各カソード（図７）が、シリコン制御整流素子１３０のアノードに接続され、そのカソードは、二次巻線３ｄの一方の端部及びチョークコイル１２０の一方の端部に接続され、そのゲートは、ダイオード４ａのカソードに接続されている。シリコン制御整流素子１３０のカソードは、また、ダイオード１３４のアノード及びコンデンサ１４０の一方の端子に接続され、ダイオード１３４のカソード及びコンデンサ１４０の他方の端子は、シリコン制御整流素子１３０のゲートに接続されている。
【０１２１】
シリコン制御整流素子１３０のアノードは、また、電解コンデンサ５の陽極及びシリコン制御整流素子１３１のアノードに共通接続され、シリコン制御整流素子１３１のカソードは、二次巻線９５ｂ（図７）の一方の端部及びチョークコイル１２１の一方の端部に接続され、そのゲートは、二次巻線９５ｂ（図７）の他方の端部に接続されている。シリコン制御整流素子１３１のカソードは、また、ダイオード１４１のアノード及びコンデンサ１３５の一方の端子に接続され、ダイオード１４１のカソード及びコンデンサ１３５の他方の端子は、シリコン制御整流素子１３１のゲートに接続されている。
【０１２２】
切換回路７２ｂは、シリコン制御整流素子１３２のカソードが接地されると共に、二次巻線３ｅの一方の端部に接続され、シリコン制御整流素子１３２のアノードは、電解コンデンサ５の陰極に接続されている。シリコン制御整流素子１３２のゲートは、二次巻線３ｅの他方の端部に接続されている。シリコン制御整流素子１３２のアノードは、また、シリコン制御整流素子１３３のアノードに接続され、シリコン制御整流素子１３３のゲートは、二次巻線９５ｃ（図７）の一方の端部に接続され、その他方の端部は、シリコン制御整流素子１３３のカソードに接続されている。また、シリコン制御整流素子１３３のカソードは接地されている（図７）。その他の常用点灯装置Ａｃの構成は、実施の形態１で説明した常用点灯装置Ａ（図１）の構成と同様であるので、説明を省略する。
【０１２３】
以下に、このような構成の非常灯点灯装置の動作を説明する。
【０１２４】
商用交流電源ＡＣが常用点灯装置Ａｃの入力端子に与えられると、全波整流回路２がこの交流電源を全波整流し、全波整流された電流は、チョークコイル３の一次巻線３ａ及びダイオード４を経由して、電解コンデンサ５を充電する。
【０１２５】
シリコン制御整流素子１３０，１３２は、チョークコイル３の二次巻線３ｄ，３ｅに発生する誘導電流により、オンになっている。
【０１２６】
一方、チョークコイル３の二次巻線３ｂにも誘導電流が発生し、ダイオード６６を経由して、電解コンデンサ５２を充電する。電解コンデンサ５２の陽極電圧は、電源電圧としてＩＣ８２に与えられると共に、抵抗９０を通じて、発光ダイオードＬＥＤのアノードにも与えられ、そのフォトカプラのフォトトランジスタＰＴ（図７）をオンにする。フォトトランジスタＰＴがオンになれば、トランジスタＱ５は、ベースが接地されてオフになり、昇圧変圧器９５の一次巻線９５ａには電流が流れず、二次巻線９５ｂ，９５ｃにも誘導電流は発生しない。その為、シリコン制御整流素子１３１，１３３はオフになっている。
【０１２７】
更に、チョークコイル３の二次巻線３ｃにも誘導電流が発生し、ダイオード６７，６８を経由して、電解コンデンサ５４を充電する。電解コンデンサ５４の陽極電圧は、電源電圧としてＩＣ８３に与えられると共に、抵抗４０及びダイオード６４通じて、二次電池Ｂａを充電している。
【０１２８】
ＩＣ８２が、電源電圧を与えられて起動し、ＦＥＴＱ１を連続的にオン／オフすると、チョークコイル３の一次巻線３ａの電磁エネルギーが電解コンデンサ５に蓄積され、電解コンデンサ５の両端電圧は、所定の直流電圧まで昇圧される。
【０１２９】
このとき、ＩＣ８３も、電源電圧を与えられて起動しており、トランジスタＴ１，Ｔ２のオン／オフを交互に繰り返している。
【０１３０】
先ず、トランジスタＴ１がオン、トランジスタＴ２がオフのときは、電解コンデンサ５の陽極→シリコン制御整流素子１３０→チョークコイル１２０→一次巻線１２２ａ→トランジスタＴ１→シリコン制御整流素子１３２→接地端子の経路で電流が流れる。
【０１３１】
次に、トランジスタＴ１がオフ、トランジスタＴ２がオンのときは、電解コンデンサ５の陽極→シリコン制御整流素子１３０→チョークコイル１２０→一次巻線１２２ｂ→トランジスタＴ２→シリコン制御整流素子１３２→接地端子の経路で電流が流れる。
【０１３２】
従って、変圧器１２２の二次巻線１２２ｃ，１２２ｄ（フィラメントコイル），１２２ｄ′（フィラメントコイル）には、トランジスタＴ１，Ｔ２をオン／オフするのと同じ周波数の交流電圧が発生する。
【０１３３】
交流電源ＡＣが常用点灯装置Ａｃに与えられた初期状態では、上記のオン／オフを繰り返し、この間に蛍光灯Ｌａの両フィラメントが、フィラメントコイル１２２ｄ、コンデンサ１２４及びフィラメントコイル１２２ｄ′、コンデンサ１２６により急速にかつ充分に予熱される。
【０１３４】
そして、蛍光灯Ｌａは、予熱状態から通常の点灯状態に移行する。
【０１３５】
ここで、商用交流電源ＡＣが何らかの原因で停電した場合、発光ダイオードＬＥＤはオフになり、そのフォトカプラのフォトトランジスタＰＴをオフにする。フォトトランジスタＰＴがオフになれば、トランジスタＱ５はオンになり、二次電池Ｂａの正極から抵抗９１及びトランジスタＱ５を通じて、昇圧変圧器９５の一次巻線９５ａに電流が流れ、二次巻線９５ｂ，９５ｃ，９５ｄにも誘導電流が発生する。その為、シリコン制御整流素子１３１，１３３はオンになる。
【０１３６】
一方、シリコン制御整流素子１３０，１３２は、商用交流電源ＡＣの停電により、チョークコイル３の二次巻線３ｄ，３ｅに誘導電流が発生しなくなり、オフになる。
【０１３７】
また、チョークコイル３の二次巻線３ｃにも誘導電流が発生せず、電解コンデンサ５４は充電されず、ＩＣ８３は電源電圧を与えられなくなる。
【０１３８】
このとき、二次電池Ｂａの正極からトランジスタＱ５、一次巻線９５ａ及びダイオード６５を経由して電解コンデンサ５７，５８が充電され、この電解コンデンサ５７の陽極電圧が、ＩＣ８４の電源電圧となり、電解コンデンサ５８の陽極電圧が、ダイオード６９を通じてＩＣ８３の電源電圧となる。
【０１３９】
ＩＣ８４が、電源電圧を与えられて起動し、ＦＥＴＱ４を連続的にオン／オフすると、昇圧変圧器９５により昇圧された二次巻線９５ｄの両端電圧により、電解コンデンサ５が充電され、電解コンデンサ５の陽極電圧は、所定の直流電圧まで昇圧される。電解コンデンサ５の陽極電圧は、シリコン制御整流素子１３１及びチョークコイル１２１を通じて、一次巻線１２２ａ，１２２ｂの接続節点に与えられる。
【０１４０】
このとき、ＩＣ８３は、上述したように、電解コンデンサ５８から電源電圧を与えられて起動しており、トランジスタＴ１，Ｔ２のオン／オフを交互に繰り返しており、以降の蛍光灯Ｌａを点灯させる動作は上述した点灯時の動作と同様である。
【０１４１】
このようにして、二次電池Ｂａに蓄積されたエネルギーが続く限り、蛍光灯Ｌａは点灯し続ける。
【０１４２】
本実施の形態のように、プッシュプルインバータを用いることにより、ハーフブリッジ回路によるインバータの場合に比べて、低い電圧による動作が可能となり、昇圧回路の損失が小さくなる。
実施の形態４．
図９，１０は、本発明に係る非常灯点灯装置の実施の形態４の構成を示すブロック図である。この非常灯点灯装置は、実施の形態３で説明した非常灯点灯装置（図６，７）のシリコン制御整流素子からなる切換回路７１ｂ，７２ｂを、シリコン制御整流素子及びバイポーラトランジスタからなる切換回路７１ｃ，７２ｃに置き換え、この置き換えに伴って、関係個所を変更したものである。
【０１４３】
この非常灯点灯装置の昇圧装置Ｃｃは、昇圧変圧器９５の二次巻線９５ｂの両端部が、
それぞれダイオード６７ｃ，６８ｃのアノードに接続され、ダイオード６７ｃ，６８ｃの各カソードは共通接続されて、切換回路７２ｃ（図９）に接続されている。また、二次巻線９５ｂの中間タップも切換回路７２ｃに接続されている。
【０１４４】
昇圧変圧器９５の二次巻線９５ｃの両端部は、それぞれダイオード６７ｂ，６８ｂのアノードに接続され、ダイオード６７ｂ，６８ｂの各カソードは共通接続されて、切換回路７１ｃ（図９）に接続されている。また、二次巻線９５ｃの中間タップも切換回路７１ｃに接続されている。
【０１４５】
昇圧変圧器９５の二次巻線９５ｄの両端部は、それぞれダイオード６７ａ，６８ａのアノードに接続され、ダイオード６７ａ，６８ａの各カソードは共通接続されて、切換回路７１ｃ（図６）に接続されている。二次巻線９５ｄの中間タップは接地されている。
【０１４６】
図１１は、常用点灯装置Ａｄ（図９）内の切換回路７１ｃ，７２ｃの構成例を拡大して示す回路図である。
【０１４７】
切換回路７１ｃは、ダイオード４のカソード及びダイオード６７ａ，６８ａの各カソード（図１０）が、シリコン制御整流素子１３０のアノードに接続され、そのカソードは、二次巻線３ｄの一方の端部及びチョークコイル１２０の一方の端部に接続され、そのゲートは、ダイオード４ａのカソードに接続されている。シリコン制御整流素子１３０のカソードは、また、コンデンサ１４０の一方の端子に接続され、コンデンサ１４０の他方の端子は、シリコン制御整流素子１３０のゲートに接続されている。
【０１４８】
シリコン制御整流素子１３０のアノードは、また、電解コンデンサ５の陽極及びＮＰＮ型トランジスタ１３１ａのコレクタに共通接続され、トランジスタ１３１ａのエミッタは、二次巻線９５ｃ（図１０）の中間タップ及びチョークコイル１２１の一方の端部に接続され、そのベースは、抵抗１４７を通じて、ダイオード６７ｂ，６８ｂ（図１０）のカソードに接続されている。
【０１４９】
トランジスタ１３１ａのベースは、また、電解コンデンサ１４４の陽極及び抵抗１４６の一方の端子に接続され、電解コンデンサ１４４の陰極及び抵抗１４６の他方の端子は、トランジスタ１３１ａのエミッタに接続されている。トランジスタ１３１ａには、また、ダイオード１４２が逆並列に接続されている。
【０１５０】
切換回路７２ｃは、シリコン制御整流素子１３２のカソードが接地されると共に、二次巻線３ｅの一方の端部に接続され、シリコン制御整流素子１３２のアノードは、電解コンデンサ５の陰極に接続されている。シリコン制御整流素子１３２のゲートは、二次巻線３ｅの他方の端部に接続されている。
【０１５１】
シリコン制御整流素子１３２のアノードは、また、ＮＰＮ型トランジスタ１３３ａのコレクタに接続され、トランジスタ１３３ａのベースは、抵抗１４９を通じて、ダイオード６７ｃ，６８ｃ（図１０）のカソードに接続され、トランジスタ１３３ａのエミッタは二次巻線９５ｂの中間タップに接続されると共に接地されている（図１０）。
【０１５２】
トランジスタ１３３ａのベースは、また、電解コンデンサ１４５の陽極及び抵抗１４８の一方の端子に接続され、電解コンデンサ１４５の陰極及び抵抗１４８の他方の端子は、トランジスタ１３３ａのエミッタに接続されている。トランジスタ１３３ａには、また、ダイオード１４３が逆並列に接続されている。
【０１５３】
その他の常用点灯装置Ａｄの構成は、実施の形態３で説明した常用点灯装置Ａｃ（図９）の構成と同様であるので、説明を省略する。
【０１５４】
このような構成の非常灯点灯装置では、商用交流電源ＡＣが何らかの原因で停電した場合、昇圧変圧器９５の一次巻線９５ａに電流が流れ、二次巻線９５ｂ，９５ｃ，９５ｄにも誘導電流が発生する。その為、トランジスタ１３１ａ，１３３ａはオンになる。
【０１５５】
一方、シリコン制御整流素子１３０，１３２は、商用交流電源ＡＣの停電により、チョークコイル３の二次巻線３ｄ，３ｅに誘導電流が発生しなくなり、オフになる。
【０１５６】
この非常灯点灯装置のその他の動作は、実施の形態３で説明した非常灯点灯装置の動作
と同様であるので、説明を省略する。
【０１５７】
シリコン制御整流素子のオン時の両端電圧（アノード−カソード間）は、１．２〜１．３Ｖ程度であるが、バイポーラトランジスタのオン時の両端電圧（コレクタ−エミッタ間）は、０．２〜０．３Ｖ程度であり、非常に低い。従って、非常時（停電時）に二次電池Ｂａを電源とする場合、そのエネルギーに制約があるので、スイッチング素子としてシリコン制御整流素子を使用するより、バイポーラトランジスタを使用する方が、エネルギー消費の面から見て有利である。
【図面の簡単な説明】
【０１５８】
【図１】本発明に係る非常灯点灯装置の実施の形態の構成を示すブロック図である。
【図２】図１に示す非常灯点灯装置の二次電池、充電装置、昇圧装置（昇圧手段）及びリレー（検知手段）の構成を示すブロック図である。
【図３】本発明に係る非常灯点灯装置の実施の形態の構成を示すブロック図である。
【図４】図３に示す非常灯点灯装置の二次電池、充電装置及び昇圧装置（昇圧手段）の構成を示すブロック図である。
【図５】常用点灯装置（図３）内の切換回路の構成例を拡大して示す回路図である。
【図６】本発明に係る非常灯点灯装置の実施の形態の構成を示すブロック図である。
【図７】図６に示す非常灯点灯装置の二次電池、充電装置及び昇圧装置（昇圧手段）の構成を示すブロック図である。
【図８】常用点灯装置（図６）内の切換回路の構成例を拡大して示す回路図である。
【図９】本発明に係る非常灯点灯装置の実施の形態の構成を示すブロック図である。
【図１０】図９に示す非常灯点灯装置の二次電池、充電装置及び昇圧装置（昇圧手段）の構成を示すブロック図である。
【図１１】常用点灯装置（図９）内の切換回路の構成例を拡大して示す回路図である。
【図１２】従来の非常灯回路の構成例を示すブロック図である。
【符号の説明】
【０１５９】
２  全波整流回路
３，６，１５，７５，１２０，１２１  チョークコイル
３ａ，７５ａ，９５ａ，１２２ａ，１２２ｂ  一次巻線
３ｂ〜３ｅ，７５ｂ，７５ｃ，９５ｂ〜９５ｄ，１２２ｃ，１２２ｄ，１２２ｄ′  二次巻線
４，４ａ，６３〜６９，６７ａ〜６７ｃ，６８ａ〜６８ｃ，１０６  ダイオード
７０  リレー（検知手段）
５，５２，５４，５７，５７ａ，５８  電解コンデンサ
７，８，９，５９〜６２，１２３  コンデンサ
７１〜７４  リレー接点（切換手段）
７１ａ〜７１ｃ，７２ａ〜７２ｃ  切換回路（切換手段）
８２〜８４  ＩＣ
９５  昇圧変圧器
１０１〜１０４，１３０〜１３３  シリコン制御整流素子（半導体スイッチング素子）
１２２  変圧器
１３１ａ，１３３ａ，Ｔ１，Ｔ２，Ｑ５  ＮＰＮ型トランジスタ
Ａ，Ａｂ，Ａｃ，Ａｄ  常用点灯装置
ＡＣ  商用交流電源
Ｂ，Ｂｂ，Ｂｃ  充電装置（充電回路）
Ｂａ  二次電池（非常用電源）
Ｃ，Ｃａ，Ｃｂ，Ｃｃ  昇圧装置（昇圧手段、昇圧回路）
Ｌａ  蛍光灯
ＬＥＤ  発光ダイオード（検知手段）
ＰＴ  フォトトランジスタ（検知手段）
Ｑ１〜Ｑ４  ＮチャネルＦＥＴ
【図１】
2005038754.tif 000003
【図２】
2005038754.tif 000004
【図３】
2005038754.tif 000005
【図４】
2005038754.tif 000006
【図５】
2005038754.tif 000007
【図６】
2005038754.tif 000008
【図７】
2005038754.tif 000009
【図８】
2005038754.tif 000010
【図９】
2005038754.tif 000011
【図１０】
2005038754.tif 000012
【図１１】
2005038754.tif 000013
【図１２】
2005038754.tif 000014
【手続補正書】
【提出日】平成15年8月1日(2003.8.1)
【手続補正１】
【補正対象書類名】明細書
【補正対象項目名】００２８
【補正方法】変更
【補正の内容】
【００２８】
チョークコイル３の二次巻線３ｂの一方の端部は接地され、他方の端部は、抵抗２６を通じてＩＣ８２に接続されると共に、ダイオード６６のアノードに接続されている。ダイオード６６のカソードは、上記電解コンデンサ５２の陽極及びＩＣ８２に接続されている。
【手続補正２】
【補正対象書類名】明細書
【補正対象項目名】０１０７
【補正方法】変更
【補正の内容】
【０１０７】
トランジスタＴ１のベースは、抵抗１３５を通じてＩＣ８３に接続され、トランジスタＴ２のベースは、抵抗１３７を通じてＩＣ８３に接続され、トランジスタＴ１，Ｔ２、ＩＣ８３及び変圧器１２２は、他励式のプッシュプルインバータを構成している。尚、ＩＣ８３を除いて、自励式のプッシュプルインバータに構成することも可能である。
【手続補正３】
【補正対象書類名】明細書
【補正対象項目名】０１４５
【補正方法】変更
【補正の内容】
【０１４５】
昇圧変圧器９５の二次巻線９５ｄの両端部は、それぞれダイオード６７ａ，６８ａのアノードに接続され、ダイオード６７ａ，６８ａの各カソードは共通接続されて、切換回路７１ｃ（図９）に接続されている。二次巻線９５ｄの中間タップは接地されている。